(57)【要約】【課題】比較的少ないドット数を持つものにおいて、コストが安く、部品の在庫管理がし易い、十分な輝度を有する表示装置を提供する。【解決手段】複数の発光素子がｍ行、ｎ列の行列状に各々並んだＡ個（Ａは２以上の整数）の表示手段５Ａ，５Ｂと、入力部１０，１１から入力されたデータを、ｍ行、ｎ×Ａ列の作業領域に並べる第１記憶部１８と、Ｍ行（Ｍ＞ｍ）、Ｎ×Ａ列（Ｎ＞ｎ）の表示領域を持つ第２記憶部２０と、制御部１４とを備え、前記制御部１４は、前記第１記憶部１８から前記第２記憶部２０へ前記データを転送させ、複数の前記表示手段５Ａ，５Ｂに対し、前記データを与える。【選択図】図２
2006071666.tif 000002
【特許請求の範囲】
【請求項１】
複数の発光素子がｍ行、ｎ列の行列状に各々並んだＡ個（Ａは２以上の整数）の表示手段と、入力部から入力されたデータを、ｍ行、ｎ×Ａ列の作業領域に並べる第１記憶部と、Ｍ行（Ｍ＞ｍ）、Ｎ×Ａ列（Ｎ＞ｎ）の表示領域を持つ第２記憶部と、制御部とを備え、前記制御部は、前記第１記憶部から前記第２記憶部へ前記データを転送させ、複数の前記表示手段に対し、前記データを与える事を特徴とする表示装置。
【請求項２】
前記制御部は、前記作業領域に存在する前記データが、前記表示領域の略中央部に位置する様に、前記データを転送させる事を特徴とする請求項１の表示装置。
【請求項３】
前記制御部は、前記表示領域において、非表示エリアであると判定すると、次の表示エリアまで進める事を特徴とする請求項２の表示装置。
【請求項４】
前記第２記憶部から入力された前記データを、シルアルデータからなる表示データに変換する表示制御器を設け、前記表示制御器は複数の前記表示手段に対し、前記表示データを出力する事を特徴とする請求項２の表示装置。
【請求項５】
前記第１記憶部はＲＡＭからなり、前記第２記憶部はＶＲＡＭからなり、前記表示制御器はＶＲＡＭコントローラからなり、前記制御部はＣＰＵからなる事を特徴とする請求項４表示装置。
【請求項６】
各前記表示手段は各表示部と各駆動部とからなり、各駆動部はスタティック駆動する事を特徴とする請求項１の表示装置。
【発明の詳細な説明】
【技術分野】
【０００１】
本発明は表示装置に関する。
【背景技術】
【０００２】
従来、この種の装置は例えば、特許文献１に示されている。この特許文献１の図１によると、１６×１６ドットに並んだ複数の表示部３が設けられている。そして、これらの表示部３を駆動する駆動部４が設けられている。この駆動部４に対し、表示データを出力する制御回路９と、制御回路９に対し、データを出力する第１記憶部８が設けられている。
【０００３】
制御回路９には、図示されていないが、上記データを表示領域（１６行、１６×複数列）に記憶する第２記憶部と、第２記憶部を制御する表示制御器と、ＣＰＵ等が設けられている。本発明者は上記特許文献１の構成に習って、２個の上記表示部３を持つ表示装置を製造した。
【特許文献１】特開２００３−９９００２号公報
【発明の開示】
【発明が解決しようとする課題】
【０００４】
本発明者は上記特許文献１の構成に習って、例えば、１２×１２ドットに並んだ２個の表示部を製造した。そして、１２×１２×２ドットの表示領域を持つ別機種の第２記憶部と、第２記憶部用の表示制御器（別機種）を使用した。しかし、これらの部品は汎用品でなく、コストが高くなる、第１の欠点がある。また、本発明者が属する製造会社は、２種類の第２記憶部と、２種類の表示制御器を在庫する必要があり、部品在庫管理が煩わしい第２の欠点がある。
【０００５】
更に、上記従来の表示装置は、例えば１／１６デューティのダイナミック駆動しているので、各発光素子は、全体時間の中で、１／１６の時間しか点灯されない。そのため、表示装置全体として、輝度が不十分である、第３の欠点がある。
【０００６】
そこで、本発明はこの様な従来の欠点を考慮して、比較的少ないドット数を持つものにおいて、コストが安く、部品の在庫管理がし易い、十分な輝度を有する表示装置を提供する。
【課題を解決するための手段】
【０００７】
上記課題を解決するために、請求項１の本発明では、複数の発光素子がｍ行、ｎ列の行列状に各々並んだＡ個（Ａは２以上の整数）の表示手段と、入力部から入力されたデータを、ｍ行、ｎ×Ａ列の作業領域に並べる第１記憶部と、Ｍ行（Ｍ＞ｍ）、Ｎ×Ａ列（Ｎ＞ｎ）の表示領域を持つ第２記憶部と、制御部とを備え、前記制御部は、前記第１記憶部から前記第２記憶部へ前記データを転送させ、複数の前記表示手段に対し、前記データを与える。
【０００８】
請求項２の本発明では、前記制御部は、前記作業領域に存在する前記データが、前記表示領域の略中央部に位置する様に、前記データを転送させる。
【０００９】
請求項３の本発明では、前記制御部は、前記表示領域において、非表示エリアであると判定すると、次の表示エリアまで進める。
【００１０】
請求項４の本発明では、前記第２記憶部から入力された前記データを、シルアルデータからなる表示データに変換する表示制御器を設け、前記表示制御器は複数の前記表示手段に対し、前記表示データを出力する。
【００１１】
請求項５の本発明では、前記第１記憶部はＲＡＭからなり、前記第２記憶部はＶＲＡＭからなり、前記表示制御器はＶＲＡＭコントローラからなり、前記制御部はＣＰＵからなる。
【００１２】
請求項６の本発明では、各前記表示手段は各表示部と各駆動部とからなり、各駆動部はスタティック駆動する。
【発明の効果】
【００１３】
請求項１の本発明では、複数の発光素子がｍ行、ｎ列の行列状に各々並んだＡ個（Ａは２以上の整数）の表示手段と、入力部から入力されたデータを、ｍ行、ｎ×Ａ列の作業領域に並べる第１記憶部と、Ｍ行（Ｍ＞ｍ）、Ｎ×Ａ列（Ｎ＞ｎ）の表示領域を持つ第２記憶部と、制御部とを備え、制御部は、第１記憶部から第２記憶部へ前記データを転送させ、複数の表示手段に対し、前記データを与える。上記構成により、Ｍ行、Ｎ×Ａ列の表示領域を持つ第２記憶部も、ｎ行、ｎ×Ａ列のデータを扱う事ができる。その結果、比較的少ないドット数を持つものにおいて、従来品の第２記憶部（汎用品）を使う事ができ、コストが安く、部品在庫管理がし易い。
【００１４】
請求項２の本発明では、制御部は、作業領域に存在するデータが、表示領域の略中央部に位置する様に、データを転送させる。この様に、作業領域に存在するデータが、表示領域の略中央部に位置する様に、データを転送させるので、表示エリア以外のエリアにアクセスする事がなく、無駄なアクセス時間を無くす事ができる。
【００１５】
請求項３の本発明では、制御部は、表示領域において、非表示エリアであると判定すると、次の表示エリアまで進める。上記構成（例えば、図３のＳ７および図４のＳ１１を参照）により、非表示エリアにアクセスすることがないので、無駄なアクセス時間を無くす事ができる。
【００１６】
請求項４の本発明では、第２記憶部から入力された前記データを、シルアルデータからなる表示データに変換する表示制御器を設け、表示制御器は複数の表示手段に対し、表示データを出力する。この様に、表示制御器は第２記憶部からのデータを、シリアルデータからなる表示データに変換する。その結果、各表示手段は、このシリアルデータにより、表示動作がし易い。
【００１７】
請求項５の本発明では、第１記憶部はＲＡＭからなり、第２記憶部はＶＲＡＭからなり、表示制御器はＶＲＡＭコントローラからなり、制御部はＣＰＵからなる。上記構成により、従来より表示ドット数が少ない表示装置において、従来と同一の汎用品である、ＲＡＭとＶＲＡＭと、ＢＲＡＭコントローラと、ＣＰＵを使う事ができる。その結果、コストが安くなり、かつ、部品在庫管理がし易くなる。
【００１８】
請求項６の本発明では、各表示手段は各表示部と各駆動部とからなり、各駆動部はスタティック駆動する。上記構成により、複数の発光素子は、全期間中の１００％近くの時間に、点灯される事ができる。その結果、表示装置全体として、輝度が十分となり、屋外に設置されるメッセージボード等には、好適である。
【発明を実施するための最良の形態】
【００１９】
以下に、図１ないし図６に従い、本発明を実施するための最良の形態に係る表示装置１を説明する。図１は表示装置１のブロック図、図２は表示装置１に用いられる制御手段２のブロック図である。図３は表示装置１における主要制御動作を説明するためのフローチャート、図４は図３に続くフローチャートである。図５は、表示装置１に用いられる第１記憶部１８における、作業すべきデータのマトリクスの１例を示す図面である。図６は、表示装置１に用いられる第２記憶部２０における、表示すべきデータのマトリクスの１例を示す図面である。
【００２０】
最初に、図１において、表示手段５Ａは表示部６Ａと、駆動部７Ａとにより構成されている。表示部６Ａは回路基板と、１２×１２＝１４４個の発光素子（例えば、赤色発光ダイオード等）とからなる。
【００２１】
複数の発光素子は、回路基板上に、ｍ行（例えば、ｍ＝１２）、ｎ列（例えば、ｎ＝１２）の行列状に並んで配置されている。
【００２２】
駆動部７Ａは例えば、１６個のドライバ（図示せず）からなる。各ドライバはラッチ機能付きのシフトレジスタからなる。各ドライバは表示部６Ａの各列毎に接続されている。
【００２３】
即ち、表示部６Ａを構成する第Ｋ列（Ｋ＝１〜１６）の１６個の発光素子の陽極は共通して、電源電位（例えば直流５ボルト）に接続されている。上記１６個の発光素子の陰極は各々、Ｋ番目のドライバの各出力端子（１６個）に接続されている。
【００２４】
１６個のドライバは各々、共通線８に接続され、共通線８を介して、表示データＳが入力される。また、各ドライバは共通線８を介して、制御信号Ｄ（クロック信号と階調信号等からなる）が入力される。
【００２５】
また、１６個のドライバは各々、１６個の異なるラッチ信号１〜１６（図示せず）が入力される。これらの表示部６Ａと駆動部７Ａとにより、表示手段５Ａは構成されている。
【００２６】
第１ドライバにラッチ信号１が入力され、ラッチ信号１がロウレベルからハイレベルに変化すると、第１ドライバは共通線８から１６個の表示データＳを取り込み、記憶する。
【００２７】
そして、第１ドライバは、第１列の１６個の発光素子に対し、１６個の表示データＳを出力する。その結果、上記表示データＳに従い、第１列の１６個の発光素子は点灯または非点灯を開始する。
【００２８】
同様に、第２ドライバにラッチ信号２が入力され、ラッチ信号２がロウレベルからハイレベルに変化すると、第２ドライバは共通線８から１６個の表示データＳを取り込み、記憶する。
【００２９】
そして第２ドライバは、第２列の１６個の発光素子に対し、１６個の表示データＳを出力する。その結果、上記表示データＳに従い、第２列の１６個の発光素子は点灯または非電灯を開始する。
【００３０】
この様にして、第１列〜第１６列に位置する各１６個の発光素子は、表示データＳに従い、順次、点灯または非点灯を開始し、継続する。
【００３１】
表示手段５Ｂは、表示部６Ｂと、駆動部７Ｂとにより構成される。表示部６Ｂは表示部６Ａと同一の構成である。駆動部７Ｂは駆動部７Ａと同一の構成である。
【００３２】
この様にして、表示部６Ｂの第１列〜第１６列に位置する各１６個の発光素子は、表示部６Ａに続いて、表示データＳに従い、順次、点灯または非点灯を開始し、継続する。
【００３３】
上記内容をまとめる。各表示手段５Ａ，５Ｂは各表示部６Ａ，６Ｂと、各駆動部７Ａ，７Ｂとから構成されている。各駆動部７Ａ，７Ｂはスタティック駆動を行なう。また、表示手段５Ａ，５ＢはＡ個（上記説明では、Ａ＝２）設けられる。
【００３４】
外部機器９は例えばパソコン等からなり、入力部１０（シリアルポート等）や入力部１１（ランコントローラ）を介して、制御手段２に対し、表示すべきデータを出力する。これらの制御手段２と、表示手段５Ａ，５Ｂ等により、この表示手段１は構成されている（図１参照）。
【００３５】
図２において、バッファ１３は、入力部１０（シリアルポート）から入力されたデータを電圧変換し、制御部１４に対し、出力するものである。
【００３６】
制御部１４は、例えばＣＰＵ等からなり、各部品（後述）を制御するものであり、データバス１５に接続されている。
【００３７】
第１ロム１６は例えば、制御部１４の制御プログラムを記憶しており、データバス１５に接続されている。第２ロム１７は文字コードを記憶しており、データバス１５に接続されている。
【００３８】
第１記憶部１９は例えば、スタティックＲＡＭ等からなる。第１記憶部１９は入力部１０または１１から入力され、データバス１５を通って入力されたデータを、ｍ行（ｍ＝１２）、ｎ×Ａ列（１２×２）の作業領域１９（図５参照）に並べるものである。
【００３９】
第２記憶部２０は例えば、ＶＲＡＭ等からなる。第２記憶部２０は、Ｍ行（Ｍ＝１６）Ｎ×Ａ列（１６×２）の表示領領２１（図６参照）を持つものである。但しＭ＞ｍ、Ｎ＞ｎである。
【００４０】
表示制御器２２は例えば、ＶＲＡＭコントローラ等からなる。表示制御器２２は、第２記憶部２０から入力されたデータを、シリアルデータからなる表示データＳに変換し、複数の表示手段５Ａ，５Ｂに対し、表示データＳを出力するものである。
【００４１】
この様に、制御部１４は第１記憶部１８と、第２記憶部２０と、表示制御器２２等を制御するものである。コネクタ２３の入力側は表示制御器２２に接続され、出力側は表示手段５Ａ，５Ｂに接続されるものである。上記部品により、この制御手段２は構成されている。
【００４２】
上記内容をまとめる。第１記憶部１８はＲＡＭからなり、第２記憶部２０はＶＲＡＭからなり、表示制御器２２はＶＲＡＭコントローラからなり、制御部１４はＣＰＵからなる。
【００４３】
なお、上記第１記憶部１８と、第２記憶部２０と、表示制御器２２と、制御部１４は、本発明者が１６×１６ドット×２個の表示部を持つ表示装置（上記背景技術で述べた）において用いられた部品と、各々、同一の部品である。
【００４４】
次に、主に図３と図４に従い、この表示装置１の動作を説明する。図３において、制御部１４は制御動作を開始する。
【００４５】
最初に、制御部１４は、作業領域１９の０行目に設定し、表示領域２１の２行目に設定する（ステップＳ１参照）。次に制御部１４は、作業領域１９の０列目に設定し、表示領域２１の２列目に設定する（ステップＳ３参照）。
【００４６】
そして制御部１４は、作業領域１９における０行目０列目のデータを、表示領域２１における２行目２列目にコピー（転送）する（Ｓ４参照）。
【００４７】
次に制御部１４は、作業領域１９の１列目に設定し、表示領域２１の３列目に設定する（Ｓ４参照）。そして制御部１４は、表示領域２１の２行目において、列番号を１６で割った時の余りの数が１４以上か否かを判定する（Ｓ５参照）。上記説明では、上記余りの数が３であるので、制御部１４はＳ５の判定を否定する。
【００４８】
次に制御部１４は、作業領域１９における列の数が２４以上か否かを判定する（Ｓ６を参照）。上記説明では、上記列の数が１であるので、制御部１４はＳ６の判定を否定する。
【００４９】
そして制御部１４は、ステップＳ３の直前に戻り、作業領域１９における０行目１列目のデータを、表示領域２１における２行目３列目に転送する（Ｓ３参照）。
【００５０】
同様にして、制御部１４は、Ｓ４とＳ５とＳ６とＳ６とＳ３の動作を繰り返す。その結果、制御部１４は作業領域１９における０行目２〜１１列目の各データを各々、表示領域２１における２行目４〜１３列目に転送する。
【００５１】
次に、ステップＳ４に従い、表示領域２１において、１４列目に設定される。その結果制御部１４は、余りの数が１４以上になったとして、Ｓ５の判定を肯定する。
【００５２】
次に制御部１４は、表示領域２１における列数に４を加算し、１８列目に設定する。この様に、制御部１４は、第２記憶部２０の表示領域２１が非表示エリア（１４列目〜１７列目に相当）であると判定すると、次の表示エリア（即ち１８列目）まで進める。
【００５３】
同様にして、制御部１４は、Ｓ６とＳ３とＳ４とＳ５の動作を繰り返す。その結果、制御部１４は、作業領域１９における０行目１２〜２３列目のデータを各々、表示領域２１における２行目１８〜２９列目に転送する（Ｓ３参照）。
【００５４】
次に制御部１４は、作業領域１９において、２４列目を設定し、表示領域２１において、３０列目を設定する（Ｓ４参照）。
【００５５】
そして制御部１４は、表示領域２１の３０列目を１６で割った時の余りが１４であるので、ステップＳ５を肯定し、表示領域２１において、３４列目（即ち、第２列目）に設定する（Ｓ７参照）。
【００５６】
次に制御部１４は、作業領域１９において、列数が２４以上か否かを判定する（Ｓ６参照）。上記説明では、２４列目であるので、制御部１４は、ステップＳ６の判定を肯定する。
【００５７】
そして制御部１４は、作業領域１９において、１行目を設定し、表示領域２１において３行目を設定する（Ｓ８参照）。この様に、制御部１４は、表示領域１９において、非表示エリア（０行目３０列目、３１列目）であると判定すると、次の表示エリア（３行目）まで進める。
【００５８】
次に制御部１４は、表示領域２１における行数を１６で割った時の余りの数が１４以上か否かを判定する（Ｓ９参照）。上記説明では、上記余りの数は３であるので、制御部１４はＳ９の判定を否定する。
【００５９】
そして制御部１４は、作業領域１９における行数が１２以上か否かを判定する（Ｓ１０を参照）。上記説明では、行数が１行目であるので、制御部１４はＳ１０の判定を否定する。
【００６０】
次に制御部１４は、ステップＳ２の直前に戻る。制御部１４は、Ｓ２とＳ３とＳ４とＳ５とＳ６の動作を繰り返す。その結果、制御部１４は、作業領域１９における１行目０列目〜２３列目のデータを、表示領域２１における３行目２列目〜１３列目および１８列目〜２９列目に転送する。
【００６１】
そして制御部１４は、作業領域１９において、２行目を設定し、表示領域２１において４行目を設定する（Ｓ８参照）。
【００６２】
次に制御部１４は、ステップＳ９の判定を否定し、ステップＳ１０の判定を否定し、Ｓ２とＳ３とＳ４とＳ５とＳ６の動作を繰り返す。
【００６３】
その結果、制御部４は、作業領域１９における２行目０列目〜２３列目のデータを、表示領域２１における４行目２列目〜１３列目および１８列目〜２９列目に転送する。この様にして、制御部１４は、作業領域１９における０行目〜１１行目の全データを、表示領域２１における２行目〜１３行目に転送する。
【００６４】
次に制御部１４は、作業領域１９において、１２行目を設定し、表示領域２１において１４行目を設定する（Ｓ８参照）。
【００６５】
そして制御部１４は、表示領域２１における１４行目が、余った数が14以上であると判定し（Ｓ９参照）、表示領域２１において、１４＋４＝１８行目に設定する（Ｓ１１を参照）。
【００６６】
次に制御部１４は、作業領域１９における１２行目が１２以上であると判定し（Ｓ１０参照）、一連の転送作業を終了する。
【００６７】
以上説明した様に、制御部１４は、第１記憶部１８の作業領域１９に存在するデータ（例えば、図５に示したＡＢを表示するための、各ドットにおける点灯、非点灯を指示する信号のこと）が第２記憶部２０の表示領域２１の中央部に位置する様に、データを転送させる。
【００６８】
また、制御部１４は、第１記憶部１８から第２記憶部２１へ、前記データを転送させ、複数の表示手段５Ａ，５Ｂに対し、前記データを与える。
【００６９】
なお、以上の説明と異なり、各表示部において、１ドットが赤色発光素子と緑色発光素子と青色発光素子とからなる、多色表示部で構成されても良い。
【００７０】
また、上記説明では、ｍ＝１２，ｎ＝１２，Ａ＝２，Ｍ＝１６，Ｎ＝１６を例示したが、本発明はこの数値に限定されるものではない。更に、上記説明では、ストップ表示を例示したが、本発明はこれに限定されなく、ランニング表示や、カーテン表示にも適用され得る。
【図面の簡単な説明】
【００７１】
【図１】本発明を実施するための最良の形態に係る表示装置１のブロック図である。
【図２】表示装置１に用いられる制御手段２のブロック図である。
【図３】表示装置１の主要動作を説明するためのフローチャートである。
【図４】図３に続くフローチャートである。
【図５】表示装置１に用いられる第１記憶部１８における、作業すべきデータのマトリクスの１例を示す図面である。
【図６】表示装置１に用いられる第２記憶部２０における、表示すべきデータのマトリクスの１例を示す図面である。
【符号の説明】
【００７２】
５Ａ，５Ｂ  表示手段
１０，１１  入力部
１４  制御部
１８  第１記憶部
２０  第２記憶部
【図１】
2006071666.tif 000003
【図２】
2006071666.tif 000004
【図３】
2006071666.tif 000005
【図４】
2006071666.tif 000006
【図５】
2006071666.tif 000007
【図６】
2006071666.tif 000008